(57)【要約】【課題】  使用済みのティシュペーパー収納箱において、内貼フィルムを収納箱から容易に分離することができ、かつ容易に開箱して全体が平板状に折り畳み廃棄できるようにすることを目的とする。【解決手段】  ティシュペーパーの取出し口を有する頂面部およびこれに対向する底面部並びにこれら頂面部と底面部を連結する左右の側面部からなり、上記左右の側面部の端部にそれぞれ連結した前後各一対の内フラップと上記頂面部および底面部の各端部にそれぞれ連結した前後各一対の外フラップを備え、組み立て状態で上記の前後各一対の内フラップ上に、上下に部分貼合する前後各一対の外フラップを重合する方体形状のティシュペーパー収納箱において、上記の取出し口に内貼りされているプラスチックフィルムを、収納箱の片側端部もしくは両側端部方向に、上側外フラップの位置まで延長させたことを特徴とするティシュペーパー収納箱。【選択図】  図４
2006051962.tif 000002
【特許請求の範囲】
【請求項１】
ティシュペーパーの取出し口を有する頂面部およびこれに対向する底面部並びにこれら頂面部と底面部を連結する左右の側面部からなり、上記左右の側面部の端部にそれぞれ連結した前後各一対の内フラップと上記頂面部および底面部の各端部にそれぞれ連結した前後各一対の外フラップを備え、組み立て状態で上記の前後各一対の内フラップ上に、上下に部分貼合する前後各一対の外フラップを重合する方体形状のティシュペーパー収納箱において、上記の取出し口に内貼りされているプラスチックフィルムを、収納箱の片側端部もしくは両側端部方向に、上側外フラップの位置まで延長させたことを特徴とするティシュペーパー収納箱。
【請求項２】
前記プラスチックフィルムを上側外フラップと下側外フラップとの重なり部分まで延長する請求項１記載のティシュペーパー収納箱。
【請求項３】
下側外フラップの端部近傍に、易開封用ミシン目を設ける請求項１または２記載のティシュペーパー収納箱。
【請求項４】
上側の外フラップに、下側の外フラップとの重合部分に補強部材を設けた請求項１から３までのいずれか１項記載のティシュペーパー収納箱。
【請求項５】
フラップの破損無しにフラップが開放でき、かつ容易にフィルムを収納箱から分離することができて、容易に紙容器を押し潰すことができる請求項１から４までのいずれか１項記載のティシュペーパー収納箱。
【発明の詳細な説明】
【技術分野】
【０００１】
本発明はティシュペーパー収納箱の内貼りプラスチックフィルム（ポリウィンドウ）の易剥離性と易分解性を兼ね備えた廃棄構造に関する。
【背景技術】
【０００２】
フェイシャルティシュ、トイレットペーパー、ペーパータオル等のティシュペーパーの収納箱の取出し口には、プラスチックフィルムが内貼りされ、埃等の混入防止や良好な取出し性に寄与している。
一方近年、容器リサイクル法の施行で、一般消費者も廃棄時に紙とそれ以外の材質の分離を求められるようになってきている。
このような状況下で、ティシュペーパー収納箱の取出し口にもプラスチックフィルムの替わりに紙を使用したり、フィルムや紙を使用しないものが市販されているが、コストや使い勝手を含めた総合的な観点から、プラスチックフィルムに優る方法は見出されていない。
又、フィルムを簡単に分離できるように、内貼りフィルムよりひと回り大きいミシン目を、収納箱天面から側面にかけて設けたものもあるが、手間がかかり、収納箱の強度も低下するという問題点があった。
【０００３】
【特許文献１】特開２０００−２８１１５５  公報
【発明の開示】
【発明が解決しようとする課題】
【０００４】
使用済みのティシュペーパー収納箱において、内貼フィルムを収納箱から容易に分離することができ、かつ容易に開箱して全体が平板状に折り畳み廃棄できるようにすることを目的とする。
【課題を解決するための手段】
【０００５】
本発明は取出し口に内貼りされているプラスチックフィルムを、収納箱長手方向に側面の上側外フラップの位置まで延長させた内貼フィルムの易剥離性ティシュ収納箱に係わる。尚、フィルムの延長は両側でも片側のみでもよい。
本発明は前記フィルムを上側外フラップと下側外フラップとの重なり部分まで延長させた内貼フィルム易剥離性ティシュ収納箱に係わる。
また、本発明は収納箱側面の下側外フラップの端部近傍に、易開封用のミシン目を設けた易分解性を兼ね備えたティシュペーパー収納箱の廃棄構造に係わる。
【発明の効果】
【０００６】
１．空のティシュペーパー収納箱を廃棄する際、側面の易開封用ミシン目により側面のフラップを開封すると、上側外フラップの内側までフィルムが延長されているので、容易にフィルムを収納箱から分離することができる。
２．フィルムが上側外フラップと下側外フラップとの重なり部分まで延長されている場合は、側面の開封と同時にフィルムの分離もできる。
【発明を実施するための最良の形態】
【０００７】
以下に本発明を図面に示す実施例によって説明するが、本発明はこれによって制約されるものではない。
【従来例】
【０００８】
図１はフェイシャルティシュ紙容器の全体斜視図で、（１）はフェイシャルティシュの収納箱、（２）はティシュペーパー、（３）はミシン目に沿って開口されるティシュの取出し口、（４）は収納箱の頂面部に取出し口（３）を覆うように裏打ちされたプラスチックフィルムで取出し口（３）の中央には長手方向のスリットが設けられている。（５）は頂面部の長手方向端部に連結した上側外フラップ、（６）は底面部の長手方向端部に連結した下側外フラップを示す。（７）は下側外フラップ（６）の端部（フラップ（５）と（６）の重合側端部）に設けた易開封用のミシン目を示す。
図２は図１の展開平面図で、（８）は一方の側面部の長手方向端部に連結した内フラップを示す。また（８’）は他方の側面部の長手方向端部に連結した内フラップを示す。上記において収納箱の頂面部の裏面にティシュ取出口（３）を覆うように貼合されているプラスチックフィルム（４）は頂面部の面内、即ち頂面部と上側外フラップ（５）の連結線（l１）（l１）と頂面部と側面部との連結線（l２）（l２）とで囲まれた面内で裏打ちされている。
【実施例１】
【０００９】
図３は本発明のフェイシャルティシュ収納箱の展開平面図でプラスチックフィルム（４）の長手方向の片端あるいは両端が上側外フラップ（５）の位置まで延長されているのが特徴である。上側外フラップ（５）と下側外フラップ（６）とは収納箱組立時に重なり貼合部を持つので、下側外フラップ（６）のミシン目（７）を強制開封すればこのミシン目（７）に延長部（４’）が近接ないしは重合したプラスチックフィルム（４）は付随して容易に頂面部の裏側から剥離できる。このフィルム（４）の延長部（４’）は上側外フラップ（５）の裏面において頂面部との連結線（l１）から該フラップ（５）の外側端縁（l３）までの間の任意の位置に及んでいるが、図３の展開紙容器を図１のようにティシュ収納箱に組立てるときに延長部（４’）の端縁（l４）が下側外フラップ（６）のミシン目（７）に図示のように近接ないし実施例２のようにオーバーラップするようにするのが好ましい。かくすることにより組立時のティシュ収納箱をミシン目（７）に親指を押し込んでこれに沿ってミシン目（７）を開封すれば、このミシン目（７）に沿った切り取りに伴ってプラスチックフィルム（４）をその延長部（４’）から頂面部および上側外フラップの内面より剥離することができる。
【実施例２】
【００１０】
図４はプラスチックフィルム（４）の延長部（４’）が収納箱の組立時に上側外フラップ（５）と下側外フラップ（６）との重なり部分（９）まで延びている例を示している。この例によればプラスチックフィルム（４）の延長部（４’）の端縁は下側外フラップ（６）の端縁と臨むミシン目（９）にもオーバーラップしているので、前出のプラスチックフィルム（４）の剥離は容易かつ確実に実施することができる。
【図面の簡単な説明】
【００１１】
【図１】従来のフェイシャルティシュ収納箱の全体斜視図
【図２】従来のフェイシャルティシュ収納箱の展開平面図
【図３】本発明の実施例の展開平面図
【図４】本発明の他の実施例の展開平面図
【符号の説明】
【００１２】
１…フェイシャルティシュの収納箱
２…ティシュペーパー
３…ティシュペーパー取出し口
４…ティシュペーパー取出し口用プラスチックフィルム
４’…同上の延長部
５…収納箱側面上側外フラップ
６…収納箱側面下側外フラップ
７…易開封用ミシン目
８、８’…収納箱側面左右内フラップ
９…収納箱側面上下フラップ重なり部分
l１…  頂面部と上側外フラップとの連結線
l２…  頂面部と側面部との連結線
l３…  上側外フラップの端縁
l４…  プラスチックフィルム（４）の延長部（４’）の端縁
【図１】
2006051962.tif 000003
【図２】
2006051962.tif 000004
【図３】
2006051962.tif 000005
【図４】
2006051962.tif 000006